(57)【要約】【課題】  ボトル内に投入することで、温まったボトル飲料を、時間をかけず手軽に冷えた飲料とすることができる、ボトル飲料冷却用アイスを提供する。【解決手段】  ボトル１の栓口の径に比較して小さい外径で、ボトル１内に投入可能な、一端側から他端側にかけて外径が太くなる、流線型状に凍らせた氷塊７で構成し、この氷塊７を適宜な素材の収容袋８に収容する。  この収容袋８には、開口端に設けた端部材１１に、前記氷塊７を取り出すための切開手段である溝１３と、端部材１１先端に前記溝１３を中心に折り曲げるためのスナップ片１２とを設け、この端部材１１における開口面を適宜なシート部材１４で封止する構成とする。【選択図】              図２
2005295950.tif 000002
【特許請求の範囲】
【請求項１】
最大径を、飲料容器であるボトルの栓口の径に比較して小さい外径として、前記ボトル内に投入可能とした柱状氷塊と、この氷塊を収容する収容袋とで構成し、この収容袋には、前記氷塊を取り出すための切開手段を設けたことを特徴とするボトル飲料冷却用アイス。
【請求項２】
前記収容袋を、複数、互いに連結して構成したことを特徴とする請求項１記載のボトル飲料冷却用アイス。
【請求項３】
前記氷塊は一端側から他端側にかけて外径を太くする形状としたことを特徴とする請求項１又は２記載のボトル飲料冷却用アイス。
【請求項４】
前記切開手段を収容袋の一端側に設け、この一端側に、前記氷塊の径の太い方を位置させるようにしたことを特徴とする請求項１又は２記載のボトル飲料冷却用アイス。
【発明の詳細な説明】
【技術分野】
【０００１】
本発明は、ボトル内に投入することで、飲みかけの飲料や、常温で保管されたボトル飲料を、時間をかけずアイス飲料として提供することができる、ボトル飲料冷却用アイスに関するものである。
【背景技術】
【０００２】
従来、飲料を冷やすために、サイコロ型のロックアイス等がある。
また、例えば、
【特許文献１】特開平７−１９４３１３号公報で開示されているように、食品や、食品以外のものを一緒に封じ込めて凍らせた様々な形状のアイスがある。
【発明の開示】
【発明が解決しようとする課題】
【０００３】
ボトル内の飲料を急に冷やしたい場合、例えば、温まってしまった、半分飲みかけの飲料を飲む場合、コンビニエンスストア等で購入したロックアイスをボトル内に投入して冷やせば、飲みかけの飲料を捨てずに飲むことができると考えられる。
本発明は、このような背景から提案されたものであって、ボトル内に投入することで、温まったボトル飲料を、時間をかけず手軽に冷えた飲料とすることができる、ボトル飲料冷却用アイスを提供することを目的とする。
【課題を解決するための手段】
【０００４】
前記した課題を達成するために、本発明では、請求項１において、最大径を、飲料容器であるボトルの栓口の径に比較して小さい外径として、前記ボトル内に投入可能とした柱状氷塊と、この氷塊を収容する収容袋とで構成し、この収容袋には、前記氷塊を取り出すための切開手段を設けたボトル飲料冷却用アイスを提案する。
また本発明では、請求項２において、前記収容袋を、複数、互いに連結して構成したボトル飲料冷却用アイスを提案する。
また本発明では、請求項３において、前記氷塊は一端側から他端側にかけて外径を太くする形状としたボトル飲料冷却用アイスを提案する。
さらに本発明では、請求項４において、前記切開手段を収容袋の一端側に設け、この一端側に、前記氷塊の径の太い方を位置させるようにしたボトル飲料冷却用アイスを提案する。
【発明の効果】
【０００５】
収容袋内の氷塊をボトル内に投入することで、温まったボトル飲料を、時間をかけずアイス飲料として提供することができる。
【０００６】
請求項１によれば、常温で保管されたボトル飲料しかないときは、ボトルの栓をあけて、収容袋内の氷塊を収容袋ごと握ると、体温によって収容袋と氷塊間が融けるので、ここで、収容袋の切開手段によって収容袋を開き、ボトル栓口に向けて収容袋から氷塊を押し出して、簡単にボトル内に氷塊を投入することができる。
【０００７】
請求項２によれば、複数の氷塊を持ち運びやすく、氷塊を投入する作業も連結した収容袋の数だけ、続けて行なうことができる。
【０００８】
請求項３によれば、収容袋内の氷塊を収容袋外から外径の細い方を握れば、収容袋と氷塊間が簡単に融け、収容袋から氷塊を簡単に押し出すことができる。
【０００９】
請求項４によれば、収容袋ごと氷塊を握る際、氷塊の径の細い方を握ることになるので、体温によって収容袋と氷塊間が融けると、重さによって氷塊を収容袋から飛び出るように落とすことができる。
【発明を実施するための最良の形態】
【００１０】
以下、本発明にかかるボトル飲料冷却用アイスについて、一つの実施の形態を挙げ、添付の図面に基づいて説明する。
図１に、ボトル１内の飲料を冷やすための、ボトル飲料冷却用アイス６を示す。このボトル飲料冷却用アイス６は、後述するボトル１の栓口の径に比較して小さい外径で、ボトル１内に投入可能な形状に凍らせた氷塊７で構成し、この氷塊７を適宜な素材の収容袋８に収容している。そしてこの収容袋８には、開口端に設けた端部材１１に、前記氷塊７を取り出すための切開手段である溝１３と、端部材１１先端に前記溝１３を中心に折り曲げるためのスナップ片１２とを設け、この端部材１１における開口面を適宜なシート部材１４で封止している。
【００１１】
前記氷塊７は、一端側から他端側にかけて外径が太くなる、流線型状（砲弾形状、ロケット形状）とすることができる。
また前記収容袋８は、氷塊７と外形が同形状の流線型状としており、外径が太い側に、前記氷塊７を取り出すための切開手段を設けた端部材１１を設けている。この端部材１１における開口面を前記シート部材１４で封止している。なお、前記氷塊７は、収容袋８内で凍らせて形成しても、予め流線型状に凍らせて、その後収容袋８内に収容し、端部材１１開口面をシート部材１４で封止するようにしてもよい。
【００１２】
このようなボトル飲料冷却用アイス６を用いるボトル１飲料としては、例えば図２に示すような、いわゆるペットボトル（ＰＥＴボトル）がある。このボトル１は、外形円筒状の胴部２と頂部から首状に突出した首部３とを有し、この首部３頂部には、飲み口である、所定の口径の栓口４を有する。
この栓口４周囲には、蓋部材５で閉栓するためのねじ山が形成してある。
【００１３】
以上のようなボトル飲料冷却用アイス６において、例えば、温まってしまった、半分飲みかけの飲料を飲む場合、飲料によっては（例えばコーラやジュースなどのソフトドリンク）、そのままではまずくて飲めないので、上述のボトル飲料冷却用アイス６を用いることとなる。
また、急激に気温が上昇して暑くなったときや、体育祭、文化祭、非常時など、急に冷たい飲料が大量に必要となり、冷蔵設備内の冷えた飲料だけでは間に合わないような場合は、常温で保管されたボトル飲料に対し、同様にボトル飲料冷却用アイス６を用いることができる。
【００１４】
半分飲みかけの飲料の入ったボトル１や、常温で保管されたボトル１を手にとって、ボトル１の蓋部材５を外し、注入口である栓口４から、収容袋８内の氷塊７を投入するようにする（図２参照）。この際、収容袋８ごと氷塊７の径の細い方を握る。こうすると、体温によって収容袋８と氷塊７間が融けるので、ここで、収容袋８の開口端に設けた端部材１１先端のスナップ片１２を持って、下方に折り曲げる。
前記スナップ片１２は、端部材１１先端の溝１３を中心に折り曲がり、スナップ片１２を下斜め方向に引っ張れば、端部材１１における開口面を封止したシート部材１４を剥がしていくことができ、これによって、氷塊７の径の大きい方を露出させ、ボトル１の栓口４に向けて収容袋８から氷塊７を押し出して、簡単にボトル１内に氷塊７を投入することができる。この場合、収容袋８を介して氷塊７を押し出すので、氷塊７に直接、手を触れることもなく、衛生的にも問題はない。もし、その際、ボトル１の容量により、必要とあれば、複数の氷塊７を投入すると、より効果的である。
【００１５】
このように、飲みかけのボトル飲料や常温で保管されたボトル飲料を、ボトル１内に氷塊７を投入することで時間をかけず、少なくとも常温より冷えた飲料とすることができ、まずくて飲み残しの飲料を捨てる無駄をなくしたり、急激に気温が上昇して暑くなったときや、体育祭、文化祭、非常時などの需要に対応することができる。
【００１６】
本願発明のボトル飲料冷却用アイス６は、図３のように構成することもできる。この場合のボトル飲料冷却用アイス６では、収容袋８には長方形状のものを用い、一端側に前記氷塊７を取り出すための切開手段であるミシン目９を入れると共に縁側にノッチ１０を設けている。
また、前記収容袋８は、一つずつ分離したものでもよいが、二点鎖線で示すように、複数の収容袋８を簡単に切り離し可能な状態で、順次、連結して形成することもできる。
【００１７】
また前記氷塊７は、同様に流線型状（砲弾形状、ロケット形状）とすることができる。その場合、前記収容袋８に氷塊７を収容する場合、収容袋８の一端側のミシン目９側に、氷塊７のうち、径の大きい側がくるようにして、氷塊７の径の細い方を、前記ミシン目９とは逆側の位置にくるようにする。
【００１８】
以上のようなボトル飲料冷却用アイス６において、ボトル１を手にとって、ボトル１の蓋部材５を外し、注入口である栓口４から、収容袋８内の氷塊７を投入する際、収容袋８ごと氷塊７の径の細い方を握る。
体温によって収容袋８と氷塊７間が容易に融けるので、ここで、収容袋８一端側の縁のノッチ１０から、ミシン目９に沿って収容袋８を開いて（図４参照）、氷塊７の径の大きい方を露出させ、ボトル１の栓口４に向けて収容袋８から氷塊７を押し出して、簡単にボトル１内に氷塊７を投入することができる（図５参照）。
【００１９】
もし、その際、ボトル１の容量により、必要とあれば、複数の氷塊７を投入すると、より効果的である。その場合、氷塊７を収容した収容袋８を複数ごと連結したものとすれば、氷塊７を持ち運びやすく、大容量のボトル１に対して、複数の氷塊７を投入する際、各収容袋８を引き離しながら、投入作業を、続けて行なうことができる。
【図面の簡単な説明】
【００２０】
【図１】本発明にかかるボトル飲料冷却用アイスの一つの実施態様を示す斜視説明図である。
【図２】図１に示すボトル飲料冷却用アイスを、ボトル飲料に対して投入する際の説明図である。
【図３】本発明にかかるボトル飲料冷却用アイスの別の実施態様を示す平面説明図および斜視説明図である。
【図４】図３に示すボトル飲料冷却用アイスにおける収容袋の切開手段により、収容袋を開いたところを示した、平面説明図である。
【図５】図３に示すボトル飲料冷却用アイスを、ボトル飲料に対して投入する際の説明図である。
【符号の説明】
【００２１】
１                        ボトル
２                        胴部
３                        首部
４                        栓口
５                        蓋部材
６                        ボトル飲料冷却用アイス
７                        氷塊
８                        収容袋
９                        ミシン目
１０                      ノッチ
１１                      端部材
１２                      スナップ片
１３                      溝
１４                      シート部材
【図１】
2005295950.tif 000003
【図２】
2005295950.tif 000004
【図３】
2005295950.tif 000005
【図４】
2005295950.tif 000006
【図５】
2005295950.tif 000007